(57)【要約】【課題】  前座席シート9の下方に設置したバッテリー23のメンテナンスや、寿命となったバッテリー23の交換が容易な電動式乗用ゴルフカートを提供する。【解決手段】  前座席シート9は、その一方の端が蝶番24で車両と回動可能な状態で固定し、他方の端はロック機構25で車両と固定及び解除が可能な状態とする。そして、蝶番24を支点として、前座席シート9の他方の端を回動させて持ち上げる。前座席シート9の下方には、バッテリー受け台21を設けて、バッテリーケース22に収納されたバッテリー23が着脱可能な状態で取付けられる。そして、バッテリーケース22を、バッテリー受け台21から引き出す方式で交換する。さらに、バッテリー受け台には、バッテリーケース22の引き出しが容易になるようなローラ式軸受26を設ける。【選択図】          図１
2006212230.tif 000002
【特許請求の範囲】
【請求項１】
前座席シート及び後座席シートを設けたバッテリーを電源とする電動式乗用ゴルフカートにおいて、
前記前座席シートは、その一方の端が蝶番で車両と回動可能な状態で固定されており、他方の端はロック機構で車両と固定及び解除が可能な状態とされており、
前記前座席シートの下方には、バッテリー受け台が設けられており、
該バッテリー受け台には、バッテリーの収納されたバッテリーケースが着脱可能な状態で取付けられており、
前記バッテリーケースは、前記ロック機構を解除させ、前記蝶番を支点として前記前座席シートの他方の端を回動させて持ち上げた後に、前記バッテリー受け台から引き出す方式で交換されることを特徴とする電動式乗用ゴルフカート。
【請求項２】
前記バッテリー受け台には、軸受が設けられていることを特徴とする請求項１記載の電動式乗用ゴルフカート。
【発明の詳細な説明】
【技術分野】
【０００１】
本発明は、電動式乗用ゴルフカートに関するものである。
【背景技術】
【０００２】
国内のゴルフ場では、５人乗り又は２人乗りの乗用ゴルフカートが提供されている。なお、５人のパーティではゴルフプレー中において、２人掛けの前座席シート9のうちで、運転席にはキャディが、他の席にはゴルファー１人が乗車し、３人掛けの後座席シート10には３人のゴルファーが乗車して、ゴルフプレー中にコース内を移動する（図２）。なお、エンジン式の乗用ゴルフカートは、騒音や排気ガスを出すために、ゴルファーに不快さを与えるという問題点が指摘されている。
【０００３】
そこで、最近では、国内でも前記したエンジン式乗用ゴルフカートとともに、電動式乗用ゴルフカートが使用されてきている。なお、電動式乗用ゴルフカートは、騒音や排気ガスを出さず、環境にやさしいという特長がある。しかしながら、従来の電動式乗用ゴルフカートは、電源として用いられているバッテリーが車体後部に配置されていた。したがって、車体の重心が後部に位置するため車体重量のバランスが悪く、傾斜地の多い国内のゴルフ場では使用しにくいといった問題点があった。
【０００４】
さらに、バッテリー、駆動系及び必要な配線などが車体の後部に集中して搭載されていたために、この部分が込み入った構造となり、バッテリーのメンテナンスや、寿命となったバッテリーの交換が容易でないという問題点があった。そこで、バッテリーをバッテリーケースに収納し、該バッテリーケースを前座席シート9の内部に設置するとともに、バッテリーケースごと引き出す方式を用いてバッテリーを交換する方式が提案されている（例えば、特許文献１参照。）。
【０００５】
【特許文献１】特開２０００−０７０４２４号公報
【発明の開示】
【発明が解決しようとする課題】
【０００６】
しかしながら、上述したようなバッテリーケースを前座席シート9の内部に設置するとともに、バッテリーケースごと引き出す方式では、バッテリーケースを交換するたびに、ボルトなどでメインフレーム1などに固定されている前座席シート9を取り外して行う必要があるために煩わしいものであった。
【０００７】
本発明の目的は、前座席シートの内部に設置したバッテリーケースの交換が容易な電動式乗用ゴルフカートを提供することである。
【課題を解決するための手段】
【０００８】
上記した課題を解決するために、本発明に係わる電動式乗用ゴルフカートでは、前座席シートの一方の端が蝶番で車両と回動可能な状態で固定され、他方の端はロック機構で車両と固定及び解除が可能な状態とする。そして、蝶番を支点として、前座席シートの他方の端を持ち上げることができるようにした。前座席シートの下方には、バッテリー受け台を設けており、バッテリーケースに収納されたバッテリーが着脱可能な状態で取付けられるようにした。そして、バッテリーケースを、バッテリー受け台から引き出す方式でバッテリーを交換するようにした。さらに、バッテリー受け台には、バッテリーケースの引き出しが容易になるような軸受を設けた。
【０００９】
すなわち、請求項１の発明は、前座席シート及び後座席シートを設けたバッテリーを電源とする電動式乗用ゴルフカートにおいて、
前記前座席シートは、その一方の端が蝶番で車両と回動可能な状態で固定されており、他方の端はロック機構で車両と固定及び解除が可能な状態とされており、前記前座席シートの下方には、バッテリー受け台が設けられており、該バッテリー受け台には、バッテリーの収納されたバッテリーケースが着脱可能な状態で取付けられており、前記バッテリーケースは、前記ロック機構を解除させ、前記蝶番を支点として前記前座席シートの他方の端を回動させて持ち上げた後に、前記バッテリー受け台から引き出す方式で交換されることを特徴としている。
【００１０】
請求項２の発明は、請求項１の発明において、前記バッテリー受け台には、軸受が設けられていることを特徴としている。
【発明の効果】
【００１１】
本発明を用いると、バッテリーのメンテナンスや、寿命となったバッテリーの交換が容易な電動式乗用ゴルフカートを提供することができる。
【実施例】
【００１２】
本発明に係わる乗用ゴルフカートの一実施例を図１、２を用いて説明する。なお、以下における一実施例として、５人乗りの乗用ゴルフカートの例を用いて詳細に説明をすることにした（図２）。
【００１３】
図２に示されるように、５人乗りの乗用ゴルフカートは、ゴルフプレー中において、２人掛けの前座席シート9のうちで、運転席にはキャディが、他の席にはゴルファー１人が乗車し、３人掛けの後座席シート10には３人のゴルファーが乗車して、ゴルフプレー中にコース内を移動する。
【００１４】
このゴルフカート30は、メインフレーム1とリアフレーム2を車体の基本構造とし、それに各種の部品が装着されたものである。手動運転時にはハンドル8により、自動運転時には電磁誘導方式などを用いて前輪6を操舵する。一方、リヤフレーム2は後輪7に懸架されていて、駆動モータ（図なし）により後輪7を回転させてゴルフカート30を走行させる。なお、ゴルファーのゴルフバッグ4等の荷物は、車体後部に設置した荷台3に固定される。
【００１５】
車体の中央やや前部の前座席シート9の一方の端は（図１において、奥側）、蝶番24で回動自在となる状態で車両に固定されている。一方、前座席シート9の他方の端は（図１において、手前側）、通常使用されているバネ式のロック機構25を用いて車両と固定及び解除が可能な状態とされている。ここで、バネ式のロック機構25を用いているために、前座席シート9の手前側の端は、しっかりと車両に固定されている。
【００１６】
まず、バネ式のロック機構25を開放状態とし、前座席シート9と車両との固定を解除する。次に、奥側の蝶番24の部分を支点として回動させて、前座席シート9のロック機構25側を持ち上げることができるようにした（図１）。したがって、バッテリー23のメンテナンスや、バッテリー23の交換に際しては、前座席シート9の端を回動させて、簡単に持ち上げることができる。
【００１７】
前座席シート9の下方には、ゴルフカート30の電源として、４個の12Ｖのバッテリー23が、１個のバッテリーケース22内に２行２列の配置で収納されている。そして、バッテリーが収納されているバッテリーケース22を、車両に設けられているバッテリー受け台21に設置してボルトなどを用いて固定する（図１）。
【００１８】
ここで、バッテリー受け台21には、軸受け、例えば、ローラ式軸受26を設けるようにした。そして、本実施例の構成では、図１に示すようにバッテリーケース22を、バッテリー受け台21から手前側に引出し、又は押し込むことによって、バッテリーケース22の交換が容易にできるようにした。すなわち、バッテリー受け台21には、ローラ式軸受26が設けられているために、少ない力で、重量物であるバッテリーケース22の交換を容易にすることができる。なお、引き出したバッテリーケース22は、そのまま一般的に使用されている台車やフォークリフト等を用いて運搬をすることができる。
【産業上の利用可能性】
【００１９】
本発明は、電源としてバッテリーを用いる電動式乗用ゴルフカートに利用をすることができる。
【図面の簡単な説明】
【００２０】
【図１】本発明に係わる乗用ゴルフカートの要部概略図である。
【図２】乗用ゴルフカートの側面方向からの概略図である。
【符号の説明】
【００２１】
１：メインフレーム、２：リヤフレーム、３：荷台、４：ゴルフバッグ、
５：フロントカウル、６：前輪、７：後輪、８：ハンドル、９：前座席シート、
１０：後座席シート、１１：ひじかけ、１２：ルーフ、２０：バッテリー収納部、
２１：バッテリー受け台、２２：バッテリーケース、２３：バッテリー、２４：蝶番、
２５：ロック機構、２６：ローラ式軸受、３０：ゴルフカート
【図１】
2006212230.tif 000003
【図２】
2006212230.tif 000004